(57)【要約】【課題】カラー表示液晶パネルに代えてモノクロ表示液晶パネルの駆動に用いる際、ドット反転駆動方式を実現することができるソースドライバを提供する。【解決手段】端からｉ番目の電位出力端を電位出力端Ｓｉと表した場合に、連続する３つの電位出力端Ｓ３ｎ−２，Ｓ３ｎ−１，Ｓ３ｎ（ただし、ｎは１以上の整数）のうち、電位出力端Ｓ３ｎ−２と電位出力端Ｓ３ｎとが短絡される。そして、電位出力端Ｓ３ｎ−２および電位出力端Ｓ３ｎは、共通の電位を出力する。また、隣接する電位出力端は、互いに逆極性の電位を出力する。【選択図】図１
2014006366.tif 000002
【特許請求の範囲】
【請求項１】
液晶パネルの駆動に用いられるソースドライバであって、
複数の電位出力端を備え、
端からｉ番目の電位出力端を電位出力端Ｓｉと表した場合に、連続する３つの電位出力端Ｓ３ｎ−２，Ｓ３ｎ−１，Ｓ３ｎ（ただし、ｎは１以上の整数）のうち、電位出力端Ｓ３ｎ−２と電位出力端Ｓ３ｎとが短絡され、
前記連続する３つの電位出力端Ｓ３ｎ−２，Ｓ３ｎ−１，Ｓ３ｎのうち、少なくとも、電位出力端Ｓ３ｎ−２および電位出力端Ｓ３ｎに対応する画像データとして、共通の画像データが供給され、
電位出力端Ｓ３ｎ−２および電位出力端Ｓ３ｎは、前記共通の画像データが示す階調に応じた共通の電位を出力し、
隣接する電位出力端は、互いに逆極性の電位を出力する
ことを特徴とするソースドライバ。
【請求項２】
連続する３つの電位出力端Ｓ３ｎ−２，Ｓ３ｎ−１，Ｓ３ｎのうち、電位出力端Ｓ３ｎ−１は、所定の階調に応じた電位を出力する
請求項１に記載のソースドライバ。
【請求項３】
ノーマリブラックの液晶パネルの駆動に用いられるソースドライバであって、
連続する３つの電位出力端Ｓ３ｎ−２，Ｓ３ｎ−１，Ｓ３ｎのうち、電位出力端Ｓ３ｎ−１は、最低階調に応じた電位を出力する
請求項１または請求項２に記載のソースドライバ。
【請求項４】
ノーマリホワイトの液晶パネルの駆動に用いられるソースドライバであって、
連続する３つの電位出力端Ｓ３ｎ−２，Ｓ３ｎ−１，Ｓ３ｎのうち、電位出力端Ｓ３ｎ−１は、最高階調に応じた電位を出力する
請求項１または請求項２に記載のソースドライバ。
【請求項５】
連続する３つの電位出力端Ｓ３ｎ−２，Ｓ３ｎ−１，Ｓ３ｎのうち、電位出力端Ｓ３ｎ−１は、抵抗を介して接地される
請求項１から請求項４のうちのいずれか１項に記載のソースドライバ。
【請求項６】
連続する３つの電位出力端Ｓ３ｎ−２，Ｓ３ｎ−１，Ｓ３ｎのうち、電位出力端Ｓ３ｎ−１は、キャパシタを介して接地される
請求項１から請求項４のうちのいずれか１項に記載のソースドライバ。
【請求項７】
コモン電極と、マトリクス状に配置された画素電極とを有するとともに、前記画素電極の列毎にソースラインを有する液晶パネルを駆動する液晶駆動装置であって、
各行を順次選択するゲートドライバと、
前記液晶パネルの各ソースラインに、前記ゲートドライバに選択された行の画像データに応じた電位を設定するソースドライバを備え、
前記ソースドライバは、
複数の電位出力端を備え、
端からｉ番目の電位出力端を電位出力端Ｓｉと表した場合に、連続する３つの電位出力端Ｓ３ｎ−２，Ｓ３ｎ−１，Ｓ３ｎ（ただし、ｎは１以上の整数）のうち、電位出力端Ｓ３ｎ−２と電位出力端Ｓ３ｎとが短絡され、１本のソースラインに接続され、
前記連続する３つの電位出力端Ｓ３ｎ−２，Ｓ３ｎ−１，Ｓ３ｎのうち、少なくとも、電位出力端Ｓ３ｎ−２および電位出力端Ｓ３ｎに対応する画像データとして、共通の画像データが供給され、
電位出力端Ｓ３ｎ−２および電位出力端Ｓ３ｎは、前記共通の画像データが示す階調に応じた共通の電位を出力し、
隣接する電位出力端は、互いに逆極性の電位を出力する
ことを特徴とする液晶駆動装置。
【発明の詳細な説明】
【技術分野】
【０００１】
本発明は、液晶パネルを駆動するソースドライバおよび液晶駆動装置に関する。
【背景技術】
【０００２】
カラー表示液晶パネルの駆動に用いられるカラー表示用ソースドライバを、モノクロ表示液晶パネルに流用することが考えられる。カラー表示用ソースドライバを用いてモノクロ表示液晶パネルを駆動する場合の構成として、図７に例示する構成が考えられる。以下、図７に例示する構成について説明する。
【０００３】
図７において、モノクロ表示液晶パネルの画素を破線で示している。各画素５０には、画素電極２２と、ＴＦＴ（Thin Film Transistor）２１の組み合わせが配置される。画素電極２２は、コモン電極３０と対向し、画素電極２２とコモン電極３０との間に液晶（図示略）が挟持される。コモン電極は所定の電位ＶＣＯＭに保たれる。
【０００４】
ＴＦＴ２１のゲートは、各ゲートラインＧ１，Ｇ２，・・・に接続され、ＴＦＴ２１のソースは、各ソースラインＣ１，Ｃ２，・・・に接続される。また、ＴＦＴ２１のドレインは、そのＴＦＴと対になる画素電極２２に接続される。
【０００５】
ゲートドライバ７１は、各ゲートラインＧ１，Ｇ２，・・・を順次、選択する。
【０００６】
ソースドライバ７２は、カラー表示用ソースドライバである。ただし、図７では、モノクロ表示液晶パネルの駆動に用いられる。
【０００７】
ソースドライバ７２の電位出力端Ｓ１，Ｓ２，・・・は、連続する３つの電位出力端毎に短絡される。そして、短絡された３つの電位出力端は、１本のソースラインに接続される。例えば、連続する３つの電位出力端Ｓ１，Ｓ２，Ｓ３は、短絡され、１本のソースラインＣ１に接続される。電位出力端Ｓ４，Ｓ５，Ｓ６等についても同様である。
【０００８】
ソースドライバ７２は、１本のゲートラインが選択される前に、そのゲートラインに対応する行の画像データを読み込む。１行分の画像データは、各電位出力端に対応する画像データの集合である。ただし、連続する３つの電位出力端に対応する画像データは、同一階調を示すモノクロの画像データである。従って、例えば、電位出力端Ｓ１，Ｓ２，Ｓ３に対応する各画像データとして共通の画像データがソースドライバ７２に供給される。
【０００９】
そして、ソースドライバ７２は、１本のゲートラインの選択時に、読み込んだ各画像データに対応する電位を各電位出力端から出力する。
【００１０】
また、ソースドライバ７２は、ライン反転駆動方式を採用する。すなわち、ソースドライバ７２は、各画素における極性を行毎に反転させる。極性として、正極性と負極性がある。正極性は、画素電極の電位をコモン電極の電位以上とすることである。また、負極性は、画素電極の電位をコモン電極の電位以下とすることである。ライン反転駆動方式における各画素の極性の例を図８に示す。図８では、奇数番目の行の画素が正極性（“＋”）であり、偶数番目の行の画素が負極性（“−”）である場合を例示している。ソースドライバ７２は、フレーム毎に、各行の極性を反転させる。
【００１１】
ライン反転駆動方式では、１行の各画素の極性は共通である。そして、前述のように、連続する３つの電位出力端Ｓ１〜Ｓ３に対応する画像データは、同一階調を示す画像データである。従って、連続する３つの電位出力端Ｓ１〜Ｓ３の出力電位は共通である。共通の電位を出力する電位出力端Ｓ１〜Ｓ３は短絡され、１本のソースラインＣ１に接続される。従って、そのソースラインＣ１は、電位出力端Ｓ１〜Ｓ３に対応する画像データが示す階調に応じた電位に設定される。他の各ソースラインも同様である。この結果、選択された行の各画素電極は、それぞれ、その行の画像データに応じた電位となり、その行の各画素は画像データが示す階調となる。
【００１２】
なお、カラー表示液晶パネルと、モノクロ表示液晶パネルの大きさが同程度である場合、モノクロ表示液晶パネルの画素電極の大きさは、カラー表示液晶パネルの画素電極の３倍となる。図７に示すように、連続する３つの電位出力端を短絡させて、１本のソースラインに接続させることで、画素電極が大きくても、応答時間を短縮化できる。
【００１３】
なお、特許文献１には、液晶パネルの列端子を短絡させることが記載されている。
【先行技術文献】
【特許文献】
【００１４】
【特許文献１】特開２０１１−２０９６３２号公報
【発明の概要】
【発明が解決しようとする課題】
【００１５】
横方向クロストークを低減させるためには、ライン反転駆動方式よりもドット反転駆動方式を採用することが好ましい。
【００１６】
カラー表示用ソースドライバは、ドット反転駆動方式を採用する場合、隣接する電位出力端同士で異なる極性の電位を出力する。従って、図７に例示するソースドライバ７２がドット反転駆動方式を採用すると、連続する３つの電位出力端から共通の階調に応じた電位を出力する場合であっても、その中央の電位出力端からは、他の２つの電位出力端とは異なる電位を出力する。例えば、電位出力端Ｓ１〜Ｓ３から共通の階調（第ｘ階調とする。）に応じた電位を出力する場合、電位出力端Ｓ１，Ｓ３から第ｘ階調に応じた正極性電位（ＶＣＯＭより高い電位）を出力するときには、電位出力端Ｓ２からは第ｘ階調に応じた負極性電位（ＶＣＯＭより低い電位）を出力する。
【００１７】
しかし、図７に例示するソースドライバ７２において、連続する３つの電位出力端は短絡されているので、その３つの電位出力端の電位を同一にしなければならない。そのため、図７に示す構成としたカラー表示用ソースドライバ７２では、ドット反転駆動方式を採用することができない。
【００１８】
そこで、本発明は、カラー表示液晶パネルに代えてモノクロ表示液晶パネルの駆動に用いる際、ドット反転駆動方式を実現することができるソースドライバおよび液晶駆動装置を提供することを目的とする。
【課題を解決するための手段】
【００１９】
本発明によるソースドライバは、液晶パネルの駆動に用いられるソースドライバであって、複数の電位出力端を備え、端からｉ番目の電位出力端を電位出力端Ｓｉと表した場合に、連続する３つの電位出力端Ｓ３ｎ−２，Ｓ３ｎ−１，Ｓ３ｎ（ただし、ｎは１以上の整数）のうち、電位出力端Ｓ３ｎ−２と電位出力端Ｓ３ｎとが短絡され、連続する３つの電位出力端Ｓ３ｎ−２，Ｓ３ｎ−１，Ｓ３ｎのうち、少なくとも、電位出力端Ｓ３ｎ−２および電位出力端Ｓ３ｎに対応する画像データとして、共通の画像データが供給され、電位出力端Ｓ３ｎ−２および電位出力端Ｓ３ｎは、その共通の画像データが示す階調に応じた共通の電位を出力し、隣接する電位出力端は、互いに逆極性の電位を出力することを特徴とする。
【００２０】
連続する３つの電位出力端Ｓ３ｎ−２，Ｓ３ｎ−１，Ｓ３ｎのうち、電位出力端Ｓ３ｎ−１が、所定の階調に応じた電位を出力してもよい。
【００２１】
ノーマリブラックの液晶パネルの駆動に用いられるソースドライバであって、連続する３つの電位出力端Ｓ３ｎ−２，Ｓ３ｎ−１，Ｓ３ｎのうち、電位出力端Ｓ３ｎ−１が、最低階調に応じた電位を出力してもよい。
【００２２】
ノーマリホワイトの液晶パネルの駆動に用いられるソースドライバであって、連続する３つの電位出力端Ｓ３ｎ−２，Ｓ３ｎ−１，Ｓ３ｎのうち、電位出力端Ｓ３ｎ−１が、最高階調に応じた電位を出力してもよい。
【００２３】
連続する３つの電位出力端Ｓ３ｎ−２，Ｓ３ｎ−１，Ｓ３ｎのうち、電位出力端Ｓ３ｎ−１が、抵抗を介して接地される構成であってもよい。
【００２４】
連続する３つの電位出力端Ｓ３ｎ−２，Ｓ３ｎ−１，Ｓ３ｎのうち、電位出力端Ｓ３ｎ−１が、キャパシタを介して接地される構成であってもよい。
【００２５】
また、本発明による液晶駆動装置は、コモン電極と、マトリクス状に配置された画素電極とを有するとともに、画素電極の列毎にソースラインを有する液晶パネルを駆動する液晶駆動装置であって、各行を順次選択するゲートドライバと、液晶パネルの各ソースラインに、ゲートドライバに選択された行の画像データに応じた電位を設定するソースドライバを備え、ソースドライバが、複数の電位出力端を備え、端からｉ番目の電位出力端を電位出力端Ｓｉと表した場合に、連続する３つの電位出力端Ｓ３ｎ−２，Ｓ３ｎ−１，Ｓ３ｎ（ただし、ｎは１以上の整数）のうち、電位出力端Ｓ３ｎ−２と電位出力端Ｓ３ｎとが短絡され、１本のソースラインに接続され、連続する３つの電位出力端Ｓ３ｎ−２，Ｓ３ｎ−１，Ｓ３ｎのうち、少なくとも、電位出力端Ｓ３ｎ−２および電位出力端Ｓ３ｎに対応する画像データとして、共通の画像データが供給され、電位出力端Ｓ３ｎ−２および電位出力端Ｓ３ｎは、その共通の画像データが示す階調に応じた共通の電位を出力し、隣接する電位出力端は、互いに逆極性の電位を出力することを特徴とする。
【発明の効果】
【００２６】
本発明によれば、カラー表示用ソースドライバを用いてモノクロ表示液晶パネルを駆動する際に、ドット反転駆動方式を実現できる。
【図面の簡単な説明】
【００２７】
【図１】本発明の液晶駆動装置と、その液晶駆動装置によって駆動されるモノクロ表示液晶パネルとを示す模式図。
【図２】ＳＴＨおよびＣＬＫに従ってソースドライバ１２が画像データを読み込む状況を示すタイミングチャート。
【図３】ＳＴＢ，ＰＯＬの変化の例を示すタイミングチャート。
【図４】本発明における各画素の極性を示す説明図。
【図５】電位出力端Ｓ３ｎ−１を、ダンピング抵抗を介して接地させる状態を示す模式図。
【図６】電位出力端Ｓ３ｎ−１を、キャパシタを介して接地させる状態を示す模式図。
【図７】カラー表示用ソースドライバを用いてモノクロ表示液晶パネルを駆動する場合の構成例を示す模式図。
【図８】ライン反転駆動方式における各画素の極性の例を示す説明図。
【発明を実施するための形態】
【００２８】
以下、本発明の実施形態を図面を参照して説明する。
図１は、本発明の液晶駆動装置と、その液晶駆動装置によって駆動されるモノクロ表示液晶パネルとを示す模式図である。液晶駆動装置は、本発明のソースドライバ１２と、ゲートドライバ１１と、制御部１０とを備える。
【００２９】
まず、モノクロ表示液晶パネル（以下、単に液晶パネルと記す。）について説明する。図１において、液晶パネルの画素を破線で示している。この液晶パネルは、図７に示す液晶パネルと同様である。各画素５０には、画素電極２２およびＴＦＴ２１の組み合わせが配置される。また、液晶パネルには、各画素電極と対向するコモン電極３０が設けられる。そして、画素電極２２とコモン電極３０との間に液晶（図示略）が挟持される。なお、図１では、画素電極２２およびコモン電極３０を模式的に示している。コモン電極３０は、例えば、各画素電極２２と対向する１枚の電極として、液晶パネルの一方の基板（図示略）に配置され、各画素電極２２は、その基板に対向するもう一枚の基板（図示略）に配置される。そして、その基板間に液晶（図示略）が封止される。
【００３０】
各画素５０は、マトリクス状に配置される。すなわち、画素電極２２およびＴＦＴ２１の組み合わせは、マトリクス状に配置される。画素電極２２の列毎に、ソースラインが設けられ、画素電極２２の行毎にゲートラインが設けられる。観察者側から見て左からｋ番目のソースラインをＣｋと記す。また、ｋ行目のゲートラインをＧｋと記す。
【００３１】
ＴＦＴ２１のゲートは、そのＴＦＴが配置された行のゲートラインに接続され、ＴＦＴ２１のソースは、そのＴＦＴが配置された列のソースラインに接続される。また、ＴＦＴ２１のドレインは、そのＴＦＴと対になる画素電極２２に接続される。
【００３２】
ゲートラインを介してＴＦＴ２１のゲートが所定のオン電位に設定されると、そのＴＦＴのソースおよびドレイン間が導通状態となり、画素電極２２がソースラインと等しい電位に設定される。また、ＴＦＴ２１のゲートが所定のオフ電位に設定されると、そのＴＦＴのソースおよびドレイン間が非導通状態となり、画素電極２２とソースラインの間も非導通状態となる。所定のオン電位とは、ソースとドレイン間を導通状態にするためのゲートの所定電位である。所定のオフ電位とは、ソースとドレイン間を非導通状態にするためのゲートの所定電位である。以下、所定のオン電位をＶｇＨと表し、所定のオフ電位をＶｇＬと表す。
【００３３】
ゲートドライバ１１は、各ゲートラインに接続される。そして、ゲートドライバ１１は、制御部１０に従って、フレーム内で、第１行のゲートラインから順次、電位を所定のオン電位ＶｇＨに設定することにより、個々のゲートラインを順に選択する。ゲートドライバ１１は、選択していない各ゲートラインの電位を所定のオフ電位ＶｇＬに設定する。ゲートドライバ１１が選択している行を、単に選択行と記す。ゲートドライバ１１が１本のゲートラインを選択する期間を選択期間と記す。
【００３４】
ソースドライバ１２は、複数の電位出力端を備える。そして、ソースドライバ１２は、制御部１０に従って、電位出力端から、選択行の画像データが示す階調に応じた電位を出力する。
【００３５】
ソースドライバ１２において、端（ここでは観察者から見て左端を例にする。）からｉ番目の電位出力端を符号“Ｓｉ”で表すこととする。図１では、端から１〜８番目の電位出力端Ｓ１〜Ｓ８を例示している。また、連続する３つの電位出力端の１組として、端から順に電位出力端の組を定めると、任意の組において、電位出力端Ｓ３ｎ−２，Ｓ３ｎ−１，Ｓ３ｎが含まれることになる。ただし、ｎは１以上の整数である。
【００３６】
そして、連続する３つの電位出力端の各組において、電位出力端Ｓ３ｎ−２と電位出力端Ｓ３ｎとが短絡され、１本のソースラインＣｎに接続される。電位出力端Ｓ３ｎ−１は、ソースラインに接続されない。電位出力端Ｓ３ｎ−１は、どこにも接続されない状態（オープンな状態）でもよい。例えば、電位出力端Ｓ１〜Ｓ３の組において、電位出力端Ｓ１，Ｓ３が短絡され、ソースラインＣ１に接続される。電位出力端Ｓ２はどこにも接続されない状態となる。同様に、電位出力端Ｓ４〜Ｓ６の組において、電位出力端Ｓ４，Ｓ６が短絡され、ソースラインＣ２に接続される。電位出力端Ｓ５はどこにも接続されない状態となる。他の組でも同様である。
【００３７】
制御部１０は、フレーム毎に、１画面分の画像データを第１行の画像データから順にソースドライバ１２に供給する。
【００３８】
１行分の画像データは、各電位出力端に対応する画像データの集合である。ただし、連続する３つの電位出力端に対応する画像データは、同一階調を示すモノクロの画像データである。従って、例えば、電位出力端Ｓ１，Ｓ２，Ｓ３に対応する各画像データとして共通の画像データがソースドライバ１２に供給される。
【００３９】
制御部１０は、選択行となる行毎に、ソースドライバ１２に、１行分の画像データに含まれる個々の画像データが示す階調に応じた電位を、個々の画像データに対応する電位出力端から出力させる。連続する３つの電位出力端Ｓ３ｎ−２，Ｓ３ｎ−１，Ｓ３ｎに対応する画像データは共通であるので、ソースドライバ１２は、電位出力端Ｓ３ｎ−２，Ｓ３ｎ−１，Ｓ３ｎから、同一階調に応じた電位を出力する。
【００４０】
ただし、隣接する電位出力端は、互いに逆極性の電位を出力する。すなわち、奇数番目の電位出力端が、ＶＣＯＭより高い電位を出力する時には、偶数番目の電位出力端は、ＶＣＯＭより低い電位を出力する。また、奇数番目の電位出力端が、ＶＣＯＭより低い電位を出力する時には、偶数番目の電位出力端は、ＶＣＯＭより高い電位を出力する。
【００４１】
従って、任意の組の電位出力端Ｓ３ｎ−２，Ｓ３ｎ−１，Ｓ３ｎは、同一階調に応じた電位を出力するが、その３つの電位出力端のうち、中央の電位出力端Ｓ３ｎ−１は、電位出力端Ｓ３ｎ−２，Ｓ３ｎとは、逆極性の電位を出力する。例えば、電位出力端Ｓ３ｎ−２，Ｓ３ｎが、第ｘ階調に応じたＶＣＯＭより高い電位を出力する場合、電位出力端Ｓ３ｎ−１は、第ｘ階調に応じたＶＣＯＭより低い電位を出力する。また、例えば、電位出力端Ｓ３ｎ−２，Ｓ３ｎが、第ｘ階調に応じたＶＣＯＭより低い電位を出力する場合、電位出力端Ｓ３ｎ−１は、第ｘ階調に応じたＶＣＯＭより高い電位を出力する。
【００４２】
制御部１０は、コモン電極および各電位出力端の出力電位の高低関係を規定する制御信号（後述のＰＯＬ）をソースドライバ１２に出力する。
【００４３】
また、制御部１０は、ゲートドライバ１１に対して、ゲートラインの選択の切り替えを指示する。
【００４４】
また、本発明の液晶駆動装置は、コモン電極３０（図１参照）の電位を設定するコモンドライバ（図示略）を備え、コモンドライバが、コモン電極３０の電位を所定の電位ＶＣＯＭに設定する。
【００４５】
以下、制御部１０が出力する制御信号について説明する。
【００４６】
制御部１０は、個々のフレームの開始を指示する信号（以下、フレーム開始信号と記す。）、および、選択するゲートラインの切り替えを指示する制御信号（以下、行切替信号と記す。）をゲートドライバ１１に出力する。制御部１０は、行切替信号によって、選択期間周期でゲートラインの切り替えをゲートドライバ１１に指示する。ゲートドライバ１１は、フレーム開始信号によってフレームの開始を指示された後、最初にゲートラインの切り替え指示を受けると、第１行のゲートラインを選択する。その後、ゲートドライバ１１は、ゲートラインの切り替え指示を受ける毎に、順次、選択するゲートラインを切り替える。
【００４７】
また、制御部１０は、ソースドライバ１２に対して、制御信号として、フレーム開始信号、ＳＴＨ、ＣＬＫ，ＳＴＢ、ＰＯＬ，を出力する。
【００４８】
ＳＴＨは、１行分の画像データの読み込み開始をソースドライバ１２に指示する制御信号である。ＳＴＨが入力されたソースドライバ１２は、制御部１０から１行分の画像データを読み込み、その１行分の画像データを記憶する。
【００４９】
ＣＬＫは、連続する３つの電位出力端の組毎に、３つ分の電位出力端に対応する画像データの読み込みをソースドライバ１２に指示する制御信号である。
【００５０】
図２は、ＳＴＨおよびＣＬＫに従ってソースドライバ１２が画像データを読み込む状況を示すタイミングチャートである。制御部１０は、立ち上がりエッジの周期が一定になるようにして、ＣＬＫをハイレベル、ローレベルに交互に切り替える。また、制御部１０は、選択期間の長さと同じ周期でＳＴＨをハイレベルに立ち上げ、その後一定期間後にローレベルに立ち下げる。
【００５１】
ソースドライバ１２は、ＳＴＨがハイレベルである期間中にＣＬＫの立ち上がりエッジを検出すると、その後、立ち上がりエッジを検出する毎に、１組分の電位出力端Ｓ３ｎ−２，Ｓ３ｎ−１，Ｓ３ｎに対応する画像データを読み込む。電位出力端Ｓ３ｎ−２，Ｓ３ｎ−１，Ｓ３ｎに対応する各画像データは、共通の階調を表す画像データである。図２では、個々の画像データが４ビットで表される場合を例にする。図２に示すＤ０〜Ｄ３は、画像データの各ビットを示す。例えば、ＳＴＨがハイレベルである期間中にＣＬＫの立ち上がりエッジを検出した後に、最初にＣＬＫの立ち上がりエッジを検出したとする。このとき制御部１０から供給されるＤ０〜Ｄ３の値がそれぞれ、例えば、Ｄ０＝１，Ｄ１＝１，Ｄ２＝１，Ｄ３＝１であったとすると、電位出力端Ｓ３ｎ−２，Ｓ３ｎ−１，Ｓ３ｎに対応する各画像データとして、４ビットの画像データ“１１１１”を読み込み、記憶する。ソースドライバ１２は、以降も同様に、ＣＬＫの立ち上がりエッジ毎に、組をなす３つの電位出力端に対応する各画像データを読み込み、記憶する。この結果、ソースドライバ１２は、１行分の画像データを記憶する。そして、ソースドライバ１２は、ＳＴＨおよびＣＬＫに従って上記の動作を繰り返すことで、各行の画像データを順次、読み込み、記憶することになる。
【００５２】
なお、上記の４ビットは例示であり、画像データのビット数は４ビットに限定されない。
【００５３】
ＳＴＢは、ソースドライバ１２に対して、記憶している１行分の各画像データに基づいて、個々の画像データに対応する各電位出力端から、画像データが示す階調に応じた電位の出力を指示する制御信号である。
【００５４】
ＰＯＬは、コモン電極および各電位出力端の出力電位の高低関係を規定する制御信号である。ＰＯＬがハイレベルであるということは、左から奇数番目の電位出力端の出力電位を正極性電位（ＶＣＯＭより高い電位）にし、左から偶数番目の電位出力端の出力電位を負極性電位（ＶＣＯＭより低い電位）にすることを、ソースドライバ１２に指示することを意味する。また、ＰＯＬがローレベルであるということは、左から奇数番目の電位出力端の出力電位を負極性電位にし、左から偶数番目の電位出力端の出力電位を正極性電位にすることをソースドライバ１２に指示することを意味する。
【００５５】
ソースドライバ１２はＰＯＬに従って、個々の電位出力端からの出力電位を、ＶＣＯＭより高い電位、または、ＶＣＯＭより低い電位とする。
【００５６】
制御部１０は、選択期間と同じ期間で、ＰＯＬをハイレベル、ローレベルに切り替える。
【００５７】
図３は、制御部１０が出力するＳＴＢ，ＰＯＬの変化の例を示すタイミングチャートである。制御部１０は、ＳＴＢの立ち下がりエッジから、次の立ち下がりエッジまでの周期が、選択期間の長さ（Ｔとする。）と同じになるようにＳＴＢを出力する。また、制御部１０は、選択期間の長さと同じ長さの期間Ｔ毎に、ＰＯＬのレベルをハイレベル、ローレベルに交互に切り替える。従って、ＰＯＬの周期は２Ｔとなる。また、制御部１０は、ＳＴＢの立ち下がりエッジよりも前に、ＰＯＬのレベルを切り替えるようにして、ＳＴＢおよびＰＯＬを出力する。
【００５８】
ソースドライバ１２は、ＳＴＢの立ち下がりエッジから立ち上がりエッジまでの期間、その前に読み込んだ１行分の各画像データに基づいて、個々の画像データに対応する各電位出力端から、画像データが示す階調に応じた電位を出力する。ただし、ＰＯＬがハイレベルである場合、ソースドライバ１２は、奇数番目の電位出力端Ｓ１，Ｓ３，Ｓ５，Ｓ７，・・・からの出力電位を、ＶＣＯＭより高い電位とし、偶数番目の電位出力端Ｓ２，Ｓ４，Ｓ６，Ｓ８，・・・からの出力電位を、ＶＣＯＭより低い電位とする。一方、ＰＯＬがローレベルである場合、ソースドライバ１２は、奇数番目の電位出力端Ｓ１，Ｓ３，Ｓ５，Ｓ７，・・・からの出力電位を、ＶＣＯＭより低い電位とし、偶数番目の電位出力端Ｓ２，Ｓ４，Ｓ６，Ｓ８，・・・からの出力電位を、ＶＣＯＭより高い電位とする。
【００５９】
また、ソースドライバ１２は、１行分の画像データが示す各階調に応じて各電位出力端から電位を出力すると、制御部１０から入力されるＳＴＨ，ＣＬＫに従って、次の１行分の画像データを上書きし、その１行分の画像データを記憶する。そして、ソースドライバ１２は、次のＳＴＢの立ち下がりエッジから立ち上がりエッジまで、その１行分の画像データおよびＰＯＬに基づいて、各電位出力端から電位を出力する。
【００６０】
ＳＴＢの立ち下がりエッジの前に、ＰＯＬのレベルは切り替えられる。従って、このとき、ソースドライバ１２は、奇数番目の電位出力端の出力電位とＶＣＯＭとの高低関係、および、偶数番目の電位出力端の出力電位とＶＣＯＭとの高低関係をそれぞれ反転させる。
【００６１】
ソースドライバ１２は、フレーム内で同様の動作を繰り返す。
【００６２】
本実施形態における各画素の極性について説明する。ＰＯＬがハイレベルである選択期間におけるソースラインの設定電位について説明する。この場合、ソースドライバ１２は、前述のように、奇数番目の電位出力端からの出力電位をＶＣＯＭより高い電位とし、偶数番目の電位出力端からの出力電位をＶＣＯＭより低い電位とする。また、連続する３つの電位出力端Ｓ３ｎ−２，Ｓ３ｎ−１，Ｓ３ｎは、共通の階調に応じた電位を出力する。従って、電位出力端Ｓ３ｎ−２，Ｓ３ｎは、等しい電位を出力し、電位出力端Ｓ３ｎ−１は、共通の階調の電位であるが、電位出力端Ｓ３ｎ−２，Ｓ３ｎの出力電位とは逆極性の電位を出力する。
【００６３】
ここで、電位出力端Ｓ３ｎ−２，Ｓ３ｎは、短絡されていて、１本のソースラインＣｎに接続されている。従って、ソースラインＣｎの電位は、電位出力端Ｓ３ｎ−２，Ｓ３ｎが出力する共通の電位に設定される。また、電位出力端Ｓ３ｎ−２，Ｓ３ｎとは異なる電位を出力する電位出力端Ｓ３ｎ−１はソースラインＣｎに接続されていないので、ソースラインＣｎの電位に影響しない。
【００６４】
このとき、ｎが奇数の場合、電位出力端Ｓ３ｎ−２，Ｓ３ｎ（例えば、電位出力端Ｓ１，Ｓ３）は、ＶＣＯＭより高い電位を出力するので、奇数番目のソースラインの電位もＶＣＯＭより高い電位となる。ｎが偶数の場合、電位出力端Ｓ３ｎ−２，Ｓ３ｎ（例えば、電位出力端Ｓ４，Ｓ６）は、ＶＣＯＭより低い電位を出力するので、偶数番目のソースラインの電位もＶＣＯＭより低い電位となる。従って、この選択行の画素の極性は、図４の１行目に示すように、左側から、正極性、負極性の順に交互に反転する。
【００６５】
次の選択期間では、ＰＯＬはローレベルに切り替えられる。この場合、ソースドライバ１２は、奇数番目の電位出力端からの出力電位をＶＣＯＭより低い電位とし、偶数番目の電位出力端からの出力電位をＶＣＯＭより高い電位とする。この場合にも、電位出力端Ｓ３ｎ−２，Ｓ３ｎは、等しい電位を出力し、電位出力端Ｓ３ｎ−１は、共通の階調の電位であるが、電位出力端Ｓ３ｎ−２，Ｓ３ｎの出力電位とは逆極性の電位を出力する。
【００６６】
そして、電位出力端Ｓ３ｎ−２，Ｓ３ｎは、短絡されていて、１本のソースラインＣｎに接続されている。従って、ソースラインＣｎの電位は、電位出力端Ｓ３ｎ−２，Ｓ３ｎが出力する共通の電位に設定される。また、電位出力端Ｓ３ｎ−２，Ｓ３ｎとは異なる電位を出力する電位出力端Ｓ３ｎ−１はソースラインＣｎに接続されていないので、ソースラインＣｎの電位に影響しない。
【００６７】
このとき、ｎが奇数の場合、電位出力端Ｓ３ｎ−２，Ｓ３ｎ（例えば、電位出力端Ｓ１，Ｓ３）は、ＶＣＯＭより低い電位を出力するので、奇数番目のソースラインの電位もＶＣＯＭより低い電位となる。ｎが偶数の場合、電位出力端Ｓ３ｎ−２，Ｓ３ｎ（例えば、電位出力端Ｓ４，Ｓ６）は、ＶＣＯＭより高い電位を出力するので、偶数番目のソースラインの電位もＶＣＯＭより高い電位となる。従って、この選択行の画素の極性は、図４の２行目に示すように、左から、負極性、正極性の順に交互に反転する。
【００６８】
以降も、ＰＯＬのレベルは選択期間周期でハイレベル、ローレベルに交互に切り替えられるので、各画素の極性は図４に示すようになる。
【００６９】
このように、本発明では、連続する３つの電位出力端Ｓ３ｎ−２，Ｓ３ｎ−１，Ｓ３ｎのうち、電位出力端Ｓ３ｎ−２，Ｓ３ｎ−１を短絡させ、ソースラインＣｎに接続させる。３つのうち中央の電位出力端Ｓ３ｎ−１は、ソースラインに接続させない。そして、隣接する電位出力端は、互いに逆極性の電位を出力する。従って、共通の電位を出力する電位出力端Ｓ３ｎ−２，Ｓ３ｎ−１を短絡させ、ソースラインＣｎに接続させているので、ソースラインＣｎには、電位出力端Ｓ３ｎ−２，Ｓ３ｎ−１と同じ電位が設定される。また、上記の隣の組の電位出力端Ｓ３（ｎ＋１）−２，Ｓ３（ｎ＋１）−１，Ｓ３（ｎ＋１）に関しても同様であるが、電位出力端Ｓ３（ｎ＋１）−２，Ｓ３（ｎ＋１）は、電位出力端Ｓ３ｎ−２，Ｓ３ｎ−１とは逆極性の電位を出力する。従って、ソースラインＣｎ＋１の電位は、ソースラインＣｎの電位とは逆極性となる。
【００７０】
よって、本発明では、左右に隣接する画素同士で、互いに逆極性となる。また、ＰＯＬのレベルは選択期間周期でハイレベル、ローレベルに交互に切り替えられるので、上下に隣接する画素同士でも、互いに逆極性となる。従って、本発明によれば、カラー表示用ソースドライバを用いてドット反転駆動方式を実現することができる。
【００７１】
また、モノクロ表示液晶パネルの駆動に、カラー表示用ソースドライバを利用することができるので、液晶駆動装置のコストを抑えることができる。
【００７２】
また、制御部１０の動作は、ドット反転駆動方式でカラー表示液晶パネルを駆動する際の一般的な動作である。従って、ソースドライバ１２の制御に、汎用的な制御部１０を利用することができる。
【００７３】
次に、本発明の実施形態の変形例について説明する。
連続する３つの電位出力端Ｓ３ｎ−２，Ｓ３ｎ−１，Ｓ３ｎにおいて、少なくとも、両側の２つの電位出力端Ｓ３ｎ−２，Ｓ３ｎが、共通の階調に応じた電位を出力すればよく、中央の電位出力端Ｓ３ｎ−１は、予め定められた所定の階調に応じた電位を出力してもよい。
【００７４】
この場合、連続する３つの電位出力端の各組における中央の電位出力端Ｓ３ｎ−１に対応する画像データは、ソースドライバ１２に供給されなくてよい。すなわち、ソースドライバ１２は、少なくとも、各組における両側の２つの電位出力端Ｓ３ｎ−２，Ｓ３ｎに対応する画像データを供給されればよい。なお、個々の組において、電位出力端Ｓ３ｎ−２，Ｓ３ｎに対応する各画像データは、共通の階調を表す。
【００７５】
この場合における電位出力端Ｓ３ｎ−１の出力電位の例を示す。液晶パネルがノーマリブラックの場合、各組における中央の電位出力端Ｓ３ｎ−１は、最低階調に応じた電位を出力することが好ましい。例えば、ＰＯＬがハイレベルの場合、電位出力端Ｓ３ｎ−１が奇数番目の電位出力端であれば、最低階調に対応するＶＣＯＭより高い電位を出力し、電位出力端Ｓ３ｎ−１が偶数番目の電位出力端であれば、最低階調に対応するＶＣＯＭより低い電位を出力することが好ましい。
【００７６】
このとき、電位出力端Ｓ３ｎ−１の出力電位は、選択行毎に、「最低階調に対応するＶＣＯＭより高い電位」と「最低階調に対応するＶＣＯＭより低い電位」に交互に切り替えられる。ノーマリブラックの液晶パネルでは、この２つの電位差は小さいので、消費電力を抑えることができる。
【００７７】
また、液晶パネルがノーマリホワイトの場合、各組における中央の電位出力端Ｓ３ｎ−１は、最高階調に応じた電位を出力することが好ましい。例えば、ＰＯＬがハイレベルの場合、電位出力端Ｓ３ｎ−１が奇数番目の電位出力端であれば、最高階調に対応するＶＣＯＭより高い電位を出力し、電位出力端Ｓ３ｎ−１が偶数番目の電位出力端であれば、最高階調に対応するＶＣＯＭより低い電位を出力することが好ましい。
【００７８】
このとき、電位出力端Ｓ３ｎ−１の出力電位は、選択行毎に、「最高階調に対応するＶＣＯＭより高い電位」と「最高階調に対応するＶＣＯＭより低い電位」に交互に切り替えられる。ノーマリブラックの液晶パネルでは、この２つの電位差は小さいので、消費電力を抑えることができる。
【００７９】
また、上記の実施形態では、電位出力端Ｓ３ｎ−１がどこにも接続されない場合を例にしたが、図５に例示するように、各組における電位出力端Ｓ３ｎ−１を、ダンピング抵抗を介して接地させてもよい。ダンピング抵抗の抵抗値は、１００ＫΩ、１ＭΩ等の高い抵抗値であることが好ましい。電位出力端Ｓ３ｎ−１を、ダンピング抵抗を介して接地させることで、ソース配線に接続されない電位出力端Ｓ３ｎ−１における発振を抑えることができる。
【００８０】
また、図６に例示するように、各組における電位出力端Ｓ３ｎ−１を、キャパシタを介して設定させてもよい。この場合にも、電位出力端Ｓ３ｎ−１における発振を抑えることができる。
【００８１】
また、本発明は、横方向電界型（ＩＰＳ：In Plane Switching）の液晶パネルのように、コモン電極がＴＦＴおよび画素電極と同一面内にある液晶パネルの駆動にも適用可能である。さらに、上記の実施形態では、ＴＦＴ液晶パネルを駆動する場合を例にして説明したが、本発明の駆動対象となる液晶パネルは、ＴＦＴ以外のスイッチング素子を有する液晶パネルであってもよい。
【産業上の利用可能性】
【００８２】
本発明は、モノクロ表示液晶パネルの駆動に好適に適用可能である。
【符号の説明】
【００８３】
１０  制御部
１１  ゲートドライバ
１２  ソースドライバ
Ｓ３ｎ−２，Ｓ３ｎ−１，Ｓ３ｎ  電位出力端
【図１】
2014006366.tif 000003
【図２】
2014006366.tif 000004
【図３】
2014006366.tif 000005
【図４】
2014006366.tif 000006
【図５】
2014006366.tif 000007
【図６】
2014006366.tif 000008
【図７】
2014006366.tif 000009
【図８】
2014006366.tif 000010